(57)【特許請求の範囲】
【請求項１】
一端がネジ接合部で他端が開口端であり、閉頂円錐台形弁受を内包する円筒形固定部に、曲がり先端が放水口で他端が嵌入開口であって、頂面が通水開口であり、前記閉頂円錐台形弁受と同様形状の貫通円錐台形弁体を内包する円筒形可動部が摺動嵌入する構成であり、斜周面に通水開口が中心線に対称的に設けられており、これら通水開口の閉頂側にパッキングのある前記閉頂円錐台形弁受が前記円筒形固定部の開口端から摺動行程以上の奥で円周固着し、かつその開口端近くのT字状始端から摺動行程の終端までの細巾スリットのある前記円筒形固定部に、前記貫通円錐台形弁体の裾周が前記円筒形可動部の嵌入開口に固着し、かつその円周固着に沿うパッキングのある前記円筒形可動部が、摺動嵌入接触した状態で、前記スリットの終端において該スリットを貫通するネジが該円筒形可動部に螺着していることを特徴とする円錐台形弁式カラン。
【発明の詳細な説明】
【技術分野】
【０００１】
本発明は円錐台弁式円筒形のプッシュ―プル式のカランに関するものである。
【背景技術】
【０００２】
カランは各種が実用されているが、開閉方法の改善が要請されている。
【先行技術文献】
【特許文献】
【０００３】
【特許文献１】実開平０５−０４７６９４「管継手のバルブ」
【発明の概要】
【発明が解決しようとする課題】
【０００４】
本発明は、壁際のひねり式開閉部に手を伸ばしてのひねりで開閉する煩わしさのないカランを提供することである。
【課題を解決するための手段】
【０００５】
円錐台弁形式カランは、一端がネジ接合部で他端が開口端であり閉頂円錐台形弁受を内包する円筒形固定部に、曲がり先端が放水口で他端が嵌入開口であって、頂面が通水開口である前記円錐台形弁受と同様形状の貫通円錐台形弁体を内包する円筒形可動部が摺動嵌入する構成であり、斜周面に通水開口が中心線に対称的に設けられており、これら通水開口の閉頂側にパッキングのある前記閉頂円錐台形弁受が前記円筒形固定部の開口端から摺動行程以上の奥で円周固着し、かつその開口端近くのT字状始端から摺動行程の終端までの細巾スリットのある前記円筒形固定部に、前記貫通円錐台形弁体の裾周が前記円筒形可動部の嵌入開口に固着しかつその円周固着に沿うパッキングのある前記円筒形可動部が、摺動嵌入接触した状態で、前記スリットの終端において該スリットを貫通するネジが該円筒形可動部に螺着しているカランである。
【発明の効果】
【０００６】
本発明の円錐台形弁式カランは、導水部先端の放水口を押し引きする手の動きの短く迅速、かつ手が汚れていてもカランを汚さず開閉でき、清潔感が高い。
【図面の簡単な説明】
【０００７】
【図１】円錐台形弁式カランの止水閉状態の立断面概略図である。
【図２】円錐台形弁式カランの放水開状態の立断面概略図である
【発明を実施するための形態】
【０００８】
本発明を図１、２に基づいて説明する。水に限らず液体の流出の開閉を行う円錐台形弁式カラン１は、例えば一端が水道管に接合するネジ接合部２他端が開口端３であり、内部に閉頂円錐台形弁受４を備える円筒形固定部５に、放水口６を一端とし他端に貫通円錐台形弁体７を内向きに接合した円筒形可動部８が、摺動嵌入接触する構成であり、その可動部８を引き出して放水、押し戻して止水の状態になるカラン１である（図１）。
【０００９】
詳しくは、中心線９に対称に図1に二個は表示してある通水開口４aを円錐台形斜面に設け、その通水開口の閉頂側の輪溝（以下図示略）にリングパッキング１０を配置した前記閉頂円錐台形弁受４の裾端周を、円筒５aの前記開口端３より奥の摺動往復行程以上、例えば略三倍までの位置に中心線９を共通に全周接合し、その開口端３近くのT字状の始端１１から終端１２までが摺動行程である細巾スリット１３を設けた前記円筒固定部５に、一端の頂面が通水開口７aであり他端周が円開口であり、前記弁受４と略同形で斜面に通水開口のない貫通円錐台形弁体７が円筒８aの嵌入開口端に同軸全周接合して一体となり、かつこの全周接合に沿う前記円筒外周に設けた輪溝に柔軟弾性リングパッキング１４を配置した前記円筒可動部８が、摺動嵌入接触後に、前記細巾スリット１３の終端１２で貫通しそのスリットの巾に等しい外径のネジ１５を前記円筒可動部の円筒８aに螺設してなるカランである。
【００１０】
なお、中空円錐台形の弁体７と弁受４の形状は、中心線に対する傾斜角度が略10〜50度、頂面と裾面つまり底面の直径は弁受がやや大きく、高さは略等しい。また、上記の弁受４と円錐台形弁体7の頂面は水の下流側にあるのを順配置構成とするが、その逆配置つまり頂面が上流側になる構成もよい。なお各リングパッキングは一以上とし、異なる材質のパッキングの複数配置もよい。          
【００１１】
以上の構成のカランつまり放水開閉装置の閉状態において、可動部の放水口６をプルつまり引き始めると、円錐台形弁体７と弁受４の間に生じる円錐台状隙間に弁受の通水開口４aより直ちに流入する水は、頂面通水開口７aより流出する、つまり生じた隙間は前記両通水開口とともに連通流出路を形成し、引き作動はスムーズに進み、前記ネジ１５が前記細巾スリット１３の始端１１に当たり全開放水つまりカランの開状態となり（図２）、これは可動部の移動限界でもある。そして可動部は中心線９周りに細巾スリットのT字状始端の周方向の両延伸だけ回動し、放水方向も左右へ振り向けられるのである。逆に放水中の放水口６をプッシュつまり押し込んでゆくと円錐台形弁体７の内斜面が円錐台形弁受４の外斜面に接近し、また前記リングパッキング１０にも当接し通水を止め、同時に可動部をその位置に保持するカランの閉状態に戻る。
【００１２】
閉状態（図１）における、可動部を押し出す水圧力に対しリングパッキング１０と摺動面リングパッキング１４さらに前記スリット１３の巾の狭い終端１２に前記ネジ１５が挟まることでも対抗する。なおこの閉状態において、弁受４の通水開口４aからの浸出水は、この弁受４のリングパッキング１０と摺動面リングパッキング１４によりカラン外部への漏出が止められ、また、開状態（図２）において前記スリット１３の終端１２と前記摺動面リングパッキング１４は離れておりスリットからの漏出はない。
また、前記ネジ１５を外せばカランは円筒固定部５と円筒可動部８に分離し、パッキングの交換可能となる。なおカランの精密加工製作には鋳造、板金製ともレーザーと耐水接着剤の加工がよい。
【符号の説明】
【００１３】
1円錐台形弁式カラン、  2ネジ接合部、  3開口端、
４閉頂円錐台形受、  4a通水開口、  5円筒固定部、  ５a円筒、
６放水口、  ７貫通円錐台形弁体、７a頂面通水開口、  ８円筒可動部、
８a円筒    ９中心線、  １０リングパッキング、  １１始端、  １２終端、
１３細巾スリット、  １４摺動面リングパッキング、  １５ネジ、
【要約】
【課題】
壁に設置するひねりや左右に回す開閉把手に手を伸ばしての開閉の煩わしさのない、放水口の押し引きで水の出し止めできるカランを提供する。
【解決手段】
円筒状固定部と円筒状固定部であり嵌入し合う二つの円筒内に円錐台形の弁受と弁体がそれぞれ配置され、それら弁受けと弁体も嵌入し合い、密着状態の閉弁から離間した開弁までの放水量を連続的に調整できるカランであり、放水口を引くと放水され、逆に押し戻せば止水となり、開閉把手のないシンプル構成の、汚れ手で開閉しても清潔に操作できるプッシュ―プル開閉式の円錐台形弁式カランである。
【選択図】図２【図１】
0005969659.tif 000002
【図２】
0005969659.tif 000003